(57)【特許請求の範囲】
【請求項１】
商品容器を横倒し状態で上下方向に複数積み重ねて収納される複数の貯蔵空隙部と、各貯蔵空隙部の下端に装着され積み重ねられた前記商品容器の最下部に位置する商品容器を収納するドラムと、該ドラムを軸周方向に回動させる駆動源とからなり、前記ドラムは、長手方向に直交する断面を円弧状とした支持受板にて構成される受面部の長手方向両側に側板部が形成され、前記ドラムの正回転方向における前方側の辺には前記受面部の周方向に突出する突起片が装着され、該突起片は、前記支持受板とは別部材とすると共に、挿込み部と、前記支持受板に固着される取付基部とからなり、前記挿込み部は先端に向かうに従い肉厚が薄くなるように形成されてなることを特徴とする小型自動販売機。
【請求項２】
請求項１において、前記挿込み部の先端部分はその一部が前記支持受板の円周方向における軌跡円の内方側に入り込むように形成されてなることを特徴とする小型自動販売機。
【請求項３】
請求項１において、前記挿込み部の外側面の先端側寄りの部分における接線は前記支持受板の円周方向における軌跡円と交差してなることを特徴とする小型自動販売機。
【請求項４】
請求項３において、前記挿込み部の内側面は前記軌跡円に沿って形成されてなることを特徴とする小型自動販売機。
【請求項５】
請求項３において、前記挿込み部の内側面の少なくとも先端側は前記軌跡円の内方に位置してなることを特徴とする小型自動販売機。
【請求項６】
請求項１，２，３，４又は５のいずれか１項の記載において、前記突起片は、合成樹脂製としてなることを特徴とする小型自動販売機。
【請求項７】
請求項１，２，３，４又は５のいずれか１項の記載において、前記突起片は、金属製としてなることを特徴とする小型自動販売機。
【発明の詳細な説明】
【技術分野】
【０００１】
本発明は、缶，ビン，ペットボトル等に詰められた飲食料等の商品を対象に販売する小型且つ構成を極めて簡易にした小型自動販売機に関する。
【背景技術】
【０００２】
従来の自動販売機は、例えば特許文献１（特開平７−４４７５７）、特許文献２（特許第３４２２７７８号）、特許文献３（特開２００７−７９７７５）等に示される如く、いずれも上下方向に製品を収納し、販売指令によって、最下位の位置にある飲食料入りの容器を払出装置によって払い出されるものである。この払出装置は、大きく分けると回転ドラムとフラッパのような扉を使用する２種類の機構がある。
【先行技術文献】
【特許文献】
【０００３】
【特許文献１】特開平７−４４７５７
【特許文献２】特許第３４２２７７８号
【特許文献３】特開２００７−７９７７５
【発明の開示】
【発明が解決しようとする課題】
【０００４】
まず、フラッパのような扉を使用する装置では、特許文献２及び特許文献３に開示されているように、機構が複雑であり、且つ飲料容器を同時に２個払い出されないようにするために設けたストッパーにて製品の側面を押さえなければならず、特にペットボトル等の合成樹脂製又は牛乳パック等の紙製等の柔らかい素材から製造された容器入り商品の場合、前記ストッパーの設定が正確に行われないと商品がすべり、場合によっては一度に２個以上の商品が同時に払い出されてしまうというおそれがある。また、このようなことを防止するには、極めて高い精度が要求される。
【０００５】
一方、特許文献１では、回転ドラムが用いられた構成であり、この種のものでは払出機構が簡単であるため、故障が少なく、メインテナンスが容易であった。しかし、従来のタイプでは、ドラム方式の場合、商品を容器受け部材から落とすにはドラムを回転させていくが、その時、ドラムの端辺の全体が上位の商品を擦りながら押し上げていくので、大きな駆動力が必要であるのみならず、商品の包装や印刷に傷をつけるおそれがあった。そこで、本発明は、構造が簡単で、故障が少なく、メインテナンスが容易というドラム方式の払出機構に注目、さらなる研究を進めた結果、そのドラムの開口度を小さく、さらにそのドラムの端辺に突起部を設けることによって、ドラムの端辺が上位の商品に押し上げる時の押し上げ力を緩和し駆動源の負担を低減するとともに、商品の包装や印刷に傷の発生を抑えることができること目的とするものである。
【課題を解決するための手段】
【０００６】
そこで、発明者は、上記課題を解決すべく、鋭意，研究を重ねた結果、請求項１の発明を、商品容器を横倒し状態で上下方向に複数積み重ねて収納される複数の貯蔵空隙部と、各貯蔵空隙部の下端に装着され積み重ねられた前記商品容器の最下部に位置する商品容器を収納するドラムと、該ドラムを軸周方向に回動させる駆動源とからなり、前記ドラムは、長手方向に直交する断面を円弧状とした支持受板にて構成される受面部の長手方向両側に側板部が形成され、前記ドラムの正回転方向における前方側の辺には前記受面部の周方向に突出する突起片が装着され、該突起片は、前記支持受板とは別部材とすると共に、挿込み部と、前記支持受板に固着される取付基部とからなり、前記挿込み部は先端に向かうに従い肉厚が薄くなるように形成されてなる小型自動販売機としたことにより、上記課題を解決した。
【０００７】
請求項２の発明を、請求項１において、前記挿込み部の先端部分はその一部が前記支持受板の円周方向における軌跡円の内方側に入り込むように形成されてなる小型自動販売機としたことにより、上記課題を解決した。請求項３の発明を、請求項１において、前記挿込み部の外側面の先端側寄りの部分における接線は前記支持受板の円周方向における軌跡円と交差してなる小型自動販売機としたことにより、上記課題を解決した。請求項４の発明を、請求項３において、前記挿込み部の内側面は前記軌跡円に沿って形成されてなる小型自動販売機としたことにより、上記課題を解決した。
【０００８】
請求項５の発明を、請求項３において、前記挿込み部の内側面の少なくとも先端側は前記軌跡円の内方に位置してなる小型自動販売機としたことにより、上記課題を解決した。請求項６の発明を、請求項１，２，３，４又は５のいずれか１項の記載において、前記突起片は、合成樹脂製としてなる小型自動販売機としたことにより、上記課題を解決した。請求項７の発明を、請求項１，２，３，４又は５のいずれか１項の記載において、前記突起片は、金属製としてなる小型自動販売機としたことにより、上記課題を解決した。
【発明の効果】
【０００９】
請求項１の発明では、前記ドラムの受面部には、正回転方向における前方側の辺に、前記受面部の周方向に沿って突出する突起片が設けられているので、受面部の幅方向寸法を小さくしてコンパクトにしたにも係わらず、貯蔵空隙部内に収納された商品容器にドラムが引掛かることなく、安定した動作状態で商品容器を払い出すことができる。特に、ドラムには、前記突起片が装着されていることにより、ドラムに収納された商品容器と、その直上に隣接して位置し、貯蔵空隙部内に収納された商品容器との間に、まず前記突起片から挿入しつつ、ドラムの本体部分（受面部）が周方向に回転しながら、ドラム内に収納された商品容器を払い出す動作を行うものである。
【００１０】
そのために、ドラムの受面部が周方向に回転しつつ収納された商品容器の直上に位置する商品容器に最初に当接する辺（前側辺）が突起片により案内されて、上下に隣接する商品容器の間に挿入されてゆくので、ドラム自体は商品容器の重量から極めて弱い僅かな抵抗を受けるのみで、ドラムが払い出し動作のために周方向に回転することができるものである。このようにして、極めて安定した動作にて、ドラムは、収納された商品容器を一つずつ払い出すことができ、且つ次に貯蔵空隙部に収納される商品容器が誤って、落下しないように一時的に停止させることができる。また、商品の一つ分の料金で、誤って、商品容器が２つ同時に払い出されることを防止できる。
【００１１】
さらに、ドラムを回転駆動する駆動源に正回転の停止命令が発令されても、停止命令と同時に停止できない駆動源としたものや、一定の角度を回転しないと停止しないタイプとした駆動源であっても、突起片の先端は横倒し状態の容器の下端付近に当接することができ、前記突起片の先端が比較的円滑に横倒し状の容器の下端に入り込むことができる。したがって、ドラムの正回転時における回転動作の多少の超過があったとしても、容器の塗膜を削ってしまったり、或いは巻き付けられたフィルムやラベルを剥がしてしまうことを防止できるものである。また、前記ドラムにおいて、受面部を構成する突起片の先端と支持受板の後側辺とドラムの回転中心とを結ぶ角度を１８０度とすれば、前記支持受板の前側辺と後側辺と回転中心とを結ぶ角度は１８０度よりも極めて小さくすることができ、これによってドラム内に収納された商品容器の払出しのための１回の回転角度を小さく設定することができる。
【００１２】
さらに、受面部の支持受板に対して突起片は別部材として設ける構造としたことにより、支持受板の前側辺と後側辺の形状は同一形状にすることができ支持受板の形状を単純化することができると共に、突起片を支持受板の前側辺に単に固着するのみで極めて簡単に受面部を組み立てることができる。また、突起片と受面部とは、異なる別材質にて形成することができ、製造効率を良好にして、低価格にて製造することができる。さらに、前記突起片は、挿込み部と、前記支持受板に固着される取付基部とからなり、前記挿込み部は先端に向かうに従い肉厚が薄くなるように形成される構成としているので、先端部分は略くさび形状となり、貯蔵空隙部の最下位置と、ドラムとにそれぞれ配置収納された上下に隣接する商品容器の間に突起片の先端が食い込み易くなり、ドラムの回動が円滑にでき且つ商品容器の払出しが良好にできる。
【００１３】
請求項２の発明では、前記挿込み部の先端部分はその一部が前記支持受板の円周方向における軌跡円の内方側に入り込むように形成されたものであり、また、請求項３の発明では、前記挿込み部の外側面の先端側寄りの部分における接線は前記支持受板の円周方向における軌跡円と交差する構成としたものである。したがって、請求項２及び請求項３の発明では、前述したように、突起片の外側面の形状は、先端に向かうにしたがって、緩やかな斜面を形成しつつ軌跡円に近接してゆくものであり、ドラムの受面部に収納された商品容器と、その直上に位置すると共に貯蔵空隙部に収納されている商品容器の下端水平面に対して、突起片の外側面が水平方向に対して正回転方向前方側が下方となるように小さな角度で傾斜しつつ、この状態で挿入してゆくことができる。
【００１４】
これによって、突起片が貯蔵空隙部側の商品容器の重量から受ける抵抗を少なくすることができ、上下に隣接する商品容器の相互の表面を保護し、商品容器の塗膜に傷を付けたり、表面に粘着されたフィルムやラベルを剥がすことを防止することができるだけでなく、ドラムを回転させる駆動力を低減させ、省電力化，省エネルギー化することが可能となり、極めて安定した状態で、収納された商品容器を払い出すことができる。
【００１５】
請求項４の発明では、前記挿込み部の内側面は前記支持受板の内周側面の回転方向における軌跡円に沿って形成されているので、貯蔵空隙部側に貯蔵された次位の商品容器は受面部に対してスムーズに収納される。請求項５の発明では、前記挿込み部の内側面の少なくとも先端側は前記軌跡円の内方に位置しているので、挿込み部の内側面は、ドラムに収納されている商品容器の表面に近接して保持することができ、安定した商品容器の収納にすることができる。
【００１６】
請求項６の発明では、突起片を合成樹脂製としたことにより、特に商品容器が金属製の缶入り飲料とした場合には、突起片が商品容器よりも軟質であり、上下に隣接する商品容器間に突起片が挿入するときに傷を付け難いものである。また、商品容器が紙製パックであるとしても、突起片が合成樹脂製であれば、その商品容器との接触も滑らかになり、商品容器の表面に傷を付けることがない。
【００１７】
請求項７の発明では、前記突起片は、金属製としたことにより、強固且つ耐久性を有するものとなり、長期間の使用をしても、ドラム関連の部材の交換が不要となる。また、突起片における直交断面は、略円弧状に形成すれば、ドラムに収納された商品容器と、該商品容器の直上で且つ貯蔵空隙部に収納された商品容器との間にドラムの突起片を円滑に挿入してドラムの回転を良好にできると共に、商品容器の塗膜に傷を付けたり、表面に貼着されたフィルムやラベルが剥がされることを防止できるものである。
【図面の簡単な説明】
【００１８】
【図１】（Ａ）は本発明における内部の様子を示す横断平面図、（Ｂ）は本発明における筐体の内部の様子を示す縦断側面図である。
【図２】（Ａ）は本発明における筐体の内部の様子を示す縦断正面図、（Ｂ）は駆動源と連結されたドラムに商品容器が分離した状態の正面図、（Ｃ）は駆動源と連結されたドラムに商品容器が収納された状態の正面図である。
【図３】（Ａ）は第１実施形態の突起片を有するドラムと商品容器の斜視図、（Ｂ）は駆動源と連結されたドラムの正面図、（Ｃ）は（Ｂ）のＸａ−Ｘａ矢視拡大端面図、（Ｄ）は（Ｂ）のＸｂ−Ｘｂ矢視拡大端面図である。
【図４】（Ａ）は第２実施形態の突起片を有するドラムの斜視図、（Ｂ）は駆動源と連結されたドラムの正面図、（Ｃ）は（Ｂ）のＸｃ−Ｘｃ矢視拡大端面図、（Ｄ）は（Ｂ）のＸｄ−Ｘｄ矢視拡大端面図である。
【図５】（Ａ）は第３実施形態の突起片を有するドラムの斜視図、（Ｂ）は駆動源と連結されたドラムの正面図、（Ｃ）は（Ｂ）のＸｅ−Ｘｅ矢視拡大端面図、（Ｄ）は（Ｂ）のＸｆ−Ｘｆ矢視拡大端面図である。
【図６】（Ａ）は挿込み端部が頂部付近に到達した状態図、（Ｂ）は（Ａ）の（ア）部拡大図、（Ｃ）は挿込み端部が頂部に到達した状態図、（Ｄ）は（Ｃ）の（イ）部拡大図である。
【図７】（Ａ）は第４実施形態の突起片を有するドラムと商品容器の斜視図、（Ｂ）は駆動源と連結されたドラムの正面図、（Ｃ）及び（Ｄ）は第４実施形態における作用図、（Ｅ）は（Ｄ）の（ウ）部拡大図である。
【図８】（Ａ）は突起片を別部材としたドラムの斜視図、（Ｂ）は（Ａ）のＸｇ−Ｘｇ矢視拡大断面図、（Ｃ）は（Ｂ）の（エ）部拡大図である。
【図９】（Ａ）乃至（Ｃ）は初期のドラム停止状態からドラムが正回転して突起片がドラムに収納された商品容器と該商品容器の直上で且つ貯蔵空隙部に収納された商品容器との間に挿入するまでの行程図である。
【図１０】（Ａ）乃至（Ｃ）はドラムが正回転して突起片がドラムに収納された商品容器と該商品容器の直上で且つ貯蔵空隙部に収納された商品容器との間でドラムが正回転してドラムに収納された商品容器が払い出されるまでの行程図である。
【図１１】（Ａ）乃至（Ｃ）は商品容器を払い出して空の状態のドラムが貯蔵空隙部内の商品容器を受けて収納するまでの行程図である。
【図１２】（Ａ）乃至（Ｃ）は第２実施形態における突起片を有するドラムによって貯蔵空隙部に収納された商品容器を受けて収納しようとする際に商品容器の重心が移動して傾斜する状態の作用図、（Ｄ）は第３実施形態における突起片を有するドラムによって重心が移動して傾斜する状態の作用図である。
【図１３】（Ａ）乃至（Ｃ）はドラムが反転した状態を初期の停止状態として容器を払い出すまでの行程図である。
【図１４】（Ａ）は商品容器をペットボトルとしてドラムに収納した状態の側面図、（Ｂ）及び（Ｃ）はドラムから商品容器を払い出すまでの行程図である。
【図１５】（Ａ）は突起片を別部材としたドラムの斜視図、（Ｂ）は（Ａ）のＸｈ−Ｘｈ矢視断面図、（Ｃ）は別部材とした突起片の斜視図、（Ｄ）は別部材とした突起片の内面側より見た斜視図、（Ｅ）は（Ｃ）のＸｉ−Ｘｉ矢視断面図、（Ｆ）は（Ｂ）の（オ）部拡大図である。
【図１６】（Ａ）は支持受板と突起片とを別部材としたドラムの縦断正面図、（Ｂ）は（Ａ）の（カ）部拡大図、（Ｃ）は突起片の内側面を軌跡円に沿う形状としたタイプの要部拡大図、（Ｄ）は突起片の内側面が軌跡円の外方に位置するタイプの要部拡大図である。
【図１７】（Ａ）は支持受板に１個の突起片が装着されたドラムの側面図、（Ｂ）は支持受板に２個の突起片が装着されたドラムの側面図、（Ｃ）は貯蔵空隙部を構成する仕切り板に突起片が通過する切除部が１個形成された主要部の構成を示す斜視図、（Ｄ）は貯蔵空隙部を構成する仕切り板に突起片が通過する切除部が２個形成された主要部の構成を示す斜視図である。
【図１８】（Ａ）は支持受板と突起片とを別部材とした実施形態における挿込み端部が頂部付近に到達しようとする作用図、（Ｂ）は（Ａ）の（キ）部拡大図、（Ｃ）は支持受板と突起片とを別部材とした実施形態における挿込み端部が頂部付近に到達して、貯蔵空隙部に収納された商品容器の下端に入り込んだ状態図、（Ｄ）は（Ｃ）の（ク）部拡大図である。
【図１９】（Ａ）は側板部が扇形状であり且つ突起片を別部材としたドラムの斜視図、（Ｂ）は（Ａ）の（ケ）部拡大図、（Ｃ）はドラムの側面図、（Ｄ）は（Ｃ）のＸｊ−Ｘｊ矢視断面図、（Ｅ）は（Ｃ）のＸｋ−Ｘｋ矢視図，（Ｆ）は（Ｃ）の（コ）部拡大図、（Ｇ）は突起片の斜視図、（Ｈ）は（Ｇ）のＸｎ−Ｘｎ矢視断面図、（Ｉ）は（Ｆ）のＸｍ−Ｘｍ矢視図である。
【図２０】（Ａ）は中央にくびれを有する商品容器に適応したドラムの側面図、（Ｂ）は（Ａ）のＸｏ−Ｘｏ矢視断面図、（Ｃ）は（Ａ）のＸｐ−Ｘｐ矢視図。
【図２１】（Ａ）は小形のペットボトルに適応したドラムの側面図、（Ｂ）は（Ａ）のＸｑ−Ｘｑ矢視断面図、（Ｃ）は（Ａ）のＸｒ−Ｘｒ矢視図。
【図２２】（Ａ）は本発明においてモータを直立させてウォームギアとホィールギアにてドラムに回転を伝達する機構を示す側面図、（Ｂ）は（Ａ）の一部省略したＸｓ−Ｘｓ矢視図である。
【発明を実施するための形態】
【００１９】
以下、本発明の実施形態を図面に基づいて説明する。本発明の構成は主に、図１に示すように、筐体１，貯蔵空隙部Ｓ，ドラムＡ，駆動源６，搬送路７，コンプレッサ８及び販売指令手段から構成されている〔図１（Ｂ）参照〕。前記筐体１は、略立方体又は直方体に形成されたものであり、小型且つコンパクトにまとめられた形状のものである。具体的なサイズは、高さが約５０cm、幅が約３０cm、奥行きが約２５cm程度であるが、多少のサイズの変化は十分に許容されるものである。筐体１の内部に貯蔵空隙部Ｓ，ドラムＡ ，駆動源６，搬送路７，コンプレッサ８及び図示しない販売指令手段が効率的に収納されている。
【００２０】
前記貯蔵空隙部Ｓは、商品として飲料，食料等が入った商品容器９が水平方向に横倒しされ、この状態で上下方向に積み重ねられて収納されるようにしたものである〔図１（Ｂ），図２（Ａ）参照〕。貯蔵空隙部Ｓは、筐体１の内部にて仕切り板２を介して複数が列状に設けられたものである。該仕切り板２は、複数枚によって構成されている。一つの貯蔵空隙部Ｓは、２枚の仕切り板２，２により構成されるものであり、隣接対向する仕切り板２，２同士の間隔を適宜設定することにより、種々のサイズの容器を収納することができる。
【００２１】
また、複数の貯蔵空隙部Ｓ，Ｓ，…において、特に両端に位置する貯蔵空隙部Ｓでは、筐体１の内壁と仕切り板２によって構成することができる〔図１（Ｂ）参照〕。貯蔵空隙部Ｓにおける幅方向寸法は、貯蔵される商品容器９の最大幅よりも僅かに大きい程度が好ましく、上下方向に積み重ねられた容器が円滑に降下してゆくことができるものであればよい。また特に図示しないが、各貯蔵空隙部Ｓは、前記仕切り板２によって、それぞれ独立したケースが形成され、該ケースが前記筐体１内に装着されたものであってもよい。
【００２２】
各貯蔵空隙部Ｓの下端箇所には、ドラムＡが装着されている（図１参照）。該ドラムＡは、図２乃至図７に示すように、受面部３と、側板部４，４と、回転支持軸５，５とから構成されており、全体が金属又はプラスチック等の合成樹脂等から形成されている。前記受面部３は、円筒を軸方向に沿って切断形成されて、略半割り円筒形状に形成されたものであり、長手方向に直交する断面形状が円弧状に形成されたものである。
【００２３】
受面部３の長手方向両端に側板部４，４が形成されたものである。側板部４は、略円板状に形成されたものであり、前記受面部３の長手方向両側端部に固着される。固着手段として、金属の場合には溶接が行われる。またドラムＡが合成樹脂で形成される場合では、一体成形されることもある。両側板部４，４の直径方向の中心位置で且つ前記受面部３の長手方向における外方側には前記回転支持軸５，５が装着されている。前記側板部４は、円板であり、その直径中心に前記回転支持軸５が固着される。すなわち、回転支持軸５はドラムＡの周方向における回転中心Ｐであり、同様に前記側板部４の直径中心も回転中心Ｐとなる。
【００２４】
また、前記側板部４，４は、図１９乃至図２１に示すように、扇形状に形成されることもある。側板部４が略扇形状に形成される場合には、扇形状の円弧状縁が前記支持受板３０の周方向の円弧形状に一致するものである〔図１９（Ａ），（Ｃ），（Ｄ），図２０（Ｂ），図２１（Ｂ）参照〕。両側板部４，４が略扇形状に形成されることにより、円板形状とした場合の側板部４に使用される原材料をさらに節約することができると共に、ドラムＡの重量を軽量化することもできる。
【００２５】
前記受面部３は、図３（Ａ），（Ｂ）及び図４（Ａ），（Ｂ）等に示すように、支持受板３０と突起片３２とから構成されたものである。支持受板３０は、長手方向に直交する断面形状が円弧状とした略半割り円筒形状としたものである〔図３（Ａ），（Ｄ）参照〕。前記受面部３の支持受板３０の幅方向の両辺は、正回転時における前方側の辺を前側辺３１aと称し、その前側辺３１aの反対側で正回転時に常時後方側となる辺を後側辺３１ｂと称する。
【００２６】
そして、ドラムＡの周方向における回転中心Ｐと前記前側辺３１aと前記後側辺３１ｂとを結ぶ形状は、略「Λ」字形状又は三角形状（具体的には扁平三角形状）となり、具体的には、回転中心Ｐ，前側辺３１a，後側辺３１ｂとを結ぶいわゆる受面部３の開きの角度θは、１８０度以下である〔図３（Ｃ）,（Ｄ）参照〕。受面部３の支持受板３０は、前述したように長手方向に直交する断面が円弧形状であり、その曲率半径Ｒは、商品容器９の容器サイズによって種々設定される。
【００２７】
前記前側辺３１aには、図３乃至図７等に示すように、突起片３２が形成されている。該突起片３２は、前記受面部３の周方向に沿って、前記前側辺３１a箇所から円弧状に突出形成される。すなわち、前記受面部３の支持受板３０において、長手方向に直交する断面形状は、円を構成する一部の円弧であり、突起片３２も同様に円を構成する一部となる。前記突起片３２における前側辺３１aに対して直交する断面形状は、略円弧状に形成されている。突起片３２は、前記支持受板３０の前側辺３１aからの延長部分であり、支持受板３０と突起片３２とは同一部材から一体成形されたものである。突起片３２自体も前記支持受板３０と同一（略同一も含む）の曲率半径Ｒを有している。曲率半径Ｒの大きさは、前記貯蔵空隙部Ｓに収納されるよう商品容器９の大きさによって決定されるものである。前記曲率半径Ｒは、ドラムＡに収納される缶，ビン，ペットボトル或いは円筒形状の飲料用パッケージ等の種々のサイズの商品容器９に合わせて設定される。
【００２８】
前記ドラムＡの構成において、前記回転中心Ｐと支持受板３０の前側辺３１aと後側辺３１ｂとを結ぶ角度を支持角度θと称することにすると、その支持角度θは、通常では、１８０度以下である。具体的には、約４５度から１８０度以下である。好ましくは約９０度乃至約１７０度であり、さらに好ましくは約１２０度乃至約１４０度である。前記突起片３２の先端と前記後側辺３１ｂと回転中心Ｐとを結ぶ線は一直線上に存在する〔図３（Ｃ），図４（Ｃ），図５（Ｃ）等参照〕。
【００２９】
そして、図面の実施形態では、その支持角度θは、約１３５度前後としている。すなわち、上記の範囲内であれば、受面部３にて容器を安定した状態で収納することができる程度の広さを有するものであればよい。また、前述したように、支持受板３０の前側辺３１aと後側辺３１ｂと回転中心Ｐとを結ぶ角度θは当然１８０度未満となる。このようなドラムＡの構成とすることで、ドラムＡは、その内部に収納する商品容器９を安定した状態で保持すると共に、ドラムＡから商品容器９を払い出すときにも確実にドラムＡの収納状態から落下させることができる。
【００３０】
突起片３２は、種々の形状の実施形態が存在する。該突起片３２の第１実施形態では、図３（Ａ），（Ｂ）に示すように、受面部３の前側辺３１aの長手方向の略中央箇所に三角形，正方形，長方形，台形状又は半円形状等の突出状の突起片３２が形成されたものである。第１実施形態では、前側辺３１aは、長手方向に沿って直線状に形成された部分がほとんどの部分を占める形状となっている〔図３（Ｂ），（Ｄ）参照〕。そして、この直線状に形成された前側辺３１aに対して、その長手方向の中央部分に三角形，正方形，長方形，台形状又は半円形状等とした突起片３２が突出形成されることになる〔図３（Ｂ），（Ｃ）参照〕。この第１実施形態では、前記前側辺３１aと突起片３２との形状が明確に判別できるものである。前記突起片３２は、前側辺３１aの長手方向に沿って略中央に突出形成されたことにより、ドラムを極めて簡易な構造にできる。
【００３１】
前記突起片３２の第２実施形態では、図４（Ａ），（Ｂ）に示すように、前記前側辺３１aの長手方向に沿って扁平三角形状に形成されたものである。第２実施形態においては、突起片３２は、前側辺３１aの長手方向全体に亘って形成されたものであり、前側辺３１aの長手方向の中央箇所が前記突起片３２の最高位置となり〔図４（Ｂ），（Ｃ）参照〕、前側辺３１aの長手方向両端が突起片３２の最も低い位置となる〔図４（Ｂ），（Ｄ）参照〕。この第２実施形態では、前側辺３１aは、その長手方向が全体に亘って突起片３２と一体化されたものであるため、前側辺３１aは、ほとんど突起片３２に含まれることとなり、該突起片３２の長手方向の両端を一直線に結ぶ線が前側辺３１aとなり、該前側辺３１aは仮想線で示される〔図４（Ａ），（Ｂ）参照〕。この第２実施形態では、前記突起片３２は、前記受面部３の前側辺３１aの長手方向に沿って略扁平三角形状に形成されるので、受面部３を構成する支持受板３０の有効広さを実質的に増加させることができる。
【００３２】
前記突起片３２の第３実施形態では、図５（Ａ），（Ｂ）に示すように、前記前側辺３１aの長手方向に沿って扁平直角三角形状に形成されたものである。すなわち、前記前側辺３１aの長手方向一端から他端に向かって一直線状の傾斜辺３２ｂを有する突起片３２として形成されたものである。突起片３２は、第２実施形態と同様に前側辺３１aの長手方向全体に亘って形成されたものであり、前側辺３１aの長手方向の一端側が前記突起片３２の最高位置となり〔図５（Ｂ），（Ｃ）参照〕、前側辺３１aの長手方向の他端側が突起片３２の最も低い位置となる〔図５（Ｂ），（Ｄ）参照〕。この第３実施形態では、前側辺３１aは、その長手方向が全体に亘って突起片３２と一体化されたものであるため、前側辺３１aは、ほとんど突起片３２に含まれることとなり、該突起片３２の長手方向の両端を一直線に結ぶ線が前側辺３１aとなり、該前側辺３１aは仮想線で示される〔図５（Ａ），（Ｂ）参照〕。この第３実施形態では、ドラムＡの払い出し動作において、ドラムＡに収納された商品容器９と、該商品容器９の直上で且つ貯蔵空隙部Ｓに収納された商品容器９との間に突起片３２が挿入する際の抵抗を少なくすることができ、払い出し動作を良好にできる。
【００３３】
前述した第２実施形態及び第３実施形態における突起片３２は、前側辺３１aの長手方向に沿って全体に亘って形成されたものである。そのために、たとえば商品容器９が円筒形の缶ジュース等の容器である場合では〔図１２（Ａ）参照〕、前記ドラムＡに収納された商品容器９と、該商品容器９の直上に積み重ねられ且つ前記貯蔵空隙部Ｓに収納された次位の商品容器９との間に突起片３２が挿入する場合には、以下のような行程の流れとなる。まず前記突起片３２の先端が上下に隣接して積み重ねられた商品容器９，９の間に挿入される。
【００３４】
そして、突起片３２の挿入が進行するに従い突起片３２の前記商品容器９，９間への挿入面積が徐々に拡がりながら挿入動作が行われる〔図１２（Ｂ）参照〕。したがって、突起片３２の商品容器９，９間への挿入動作に対する抵抗も最初は少なく、徐々に食い込むように挿入することで、商品容器９の表面塗装を損傷することもない。また、突起片３２が挿入された位置を中心に、商品容器９の内部の液体がゆれて、容器内部で移動し、商品容器９の重心Ｇの位置が中心よりずれた位置に移動して、商品容器９が長手方向に沿って傾斜することとなる〔図１２（Ｃ）参照〕。この商品容器９の傾斜状態によって、前記突起片３２はさらに挿入しつつ、ドラムＡの周方向に沿って移動し易くなるものである。図１２（Ｃ）及び図１２（Ｄ）では分布加重が不均一となって、重心Ｇの位置がずれたことを示すものである。
【００３５】
突起片３２の第４実施形態では、図７（Ａ），（Ｂ）に示すように、前側辺３１aの長手方向の両側箇所に突起片３２が形成され、両突起片３２，３２間は窪み状態となる窪み部３３が設けられる。この第４実施形態においても、前側辺３１aと突起片３２との形状が明確に判別できるものである。また、突起片３２の形状は、前述した第２実施形態と同様に、三角形，正方形，長方形，台形状又は半円形状等とすることができる。この第４実施形態では、前述したように前記突起片３２は支持受板３０の前側辺３１aの長手方向に沿ってその長手方向両側に形成されており、前側辺３１aの長手方向の中央に窪み部３３が形成されたものである。
【００３６】
このような構成としたことにより、ドラムＡに収納された商品容器９のストロー部収納部９１は、窪み部３３に収まるようにすることができ〔図７（Ｂ），（Ｃ）参照〕、ドラムＡの正回転を円滑に行うことができる。また、ドラムＡに収納された商品容器９の直上で且つ貯蔵空隙部Ｓに収納された商品容器９の下面側をドラムＡが回転するときには、ストロー部収納部９１が窪み部３３に収まり〔図７（Ｄ），（Ｅ）参照〕、突起片３２がストロー部収納部９１に当接することがないようにすることができる。商品容器９のみに突起片３２が当接するようにすることができるものである。これによって、商品容器９のストロー部収納部９１とドラムＡとが相互に干渉することなく、ドラムＡの回転によって商品容器９からストロー部収納部９１が剥ぎ取られることを防止でき、ドラムＡの回転が良好におこなわれ、前記ストロー付きの紙製容器等の商品容器９の払い出しに好適である。
【００３７】
さらに、前述した第１乃至第４実施形態の突起片３２には、その先端部分に挿込み端部３２ａが形成されることもある。該挿込み端部３２ａは、平坦状の部位であり、上下方向に隣接する商品容器９，９の間に挿入し易い構成としたものである。前記挿込み端部３２ａは、前記突起片３２の先端部分の適宜の位置において、その位置の接線Ｌａに対して、ドラムＡの内方に向かって僅かに傾斜状に屈曲形成されたものである〔図３乃至図５及び図６（Ｂ），（Ｄ）参照〕。ここで、挿込み端部３２ａの突起片３２に対する根元部分を付け根部３２’と称する。該挿込み端部３２ａは、水平状且つ平坦面として形成されたものである。そして、前記ドラムＡの払い出し動作において正回転により、前記突起片３２の先端箇所がドラムＡの回転中心Ｐより見て、前記挿込み端部３２ａは、略最上位置付近に到達した状態で略水平面状となるように形成されたものである〔図６（Ｃ），（Ｄ）参照〕。
【００３８】
前記挿込み端部３２ａについて、さらに詳述すると、前記突起片３２に形成された前記挿込み端部３２ａの付け根部３２’における接線をＬａとすると、該接線Ｌａと、前記挿込み端部３２ａの前記付け根部３２’からの延出方向線Ｌｂとのなす角度αとする。そして、前記挿込み端部３２ａがドラムＡの最上位置（略最上位置でもよい）に到達した状態で、該挿込み端部３２ａの延出方向が前記ドラムＡの最上位置における水平線Ｈｈに一致（略一致も含む）するように前記角度αが設定される〔図６（Ｃ），（Ｄ）参照〕。これによって、前記ドラムＡが商品容器９の払い出し動作における正回転を行う行程において、前記挿込み端部３２ａがドラムＡ（の側板部４）の頂部位置（略頂部位置も含む）に到達したときには、挿込み端部３２ａの延出方向は、水平（略水平も含む）となる〔図９（Ｃ），  図６（Ｃ），（Ｄ）参照〕。
【００３９】
前記角度αは、実際には、僅かな角度であり、前記挿込み端部３２ａは、ドラムＡが回転して、該ドラムＡ内に収納された商品容器９と、この収納された商品容器９の直上で前記貯蔵空隙部Ｓに収納された商品容器９との間に極めて円滑且つ容易に挿し込まれることができるようになっている。すなわち、挿込み端部３２ａは、そのドラムＡの払い出し動作における正回転によって、図６（Ａ）乃至（Ｄ）に示すように、最上位付近に近接するに従い、水平線Ｈｈ面に近い状態となりつつ、ドラムＡに収納された商品容器９の直上の商品容器９の下部にもぐりこみ、該商品容器９を僅かに押し上げつつ、ドラムＡが回転しつつ、該ドラムＡ内に収納された商品容器９を払い出す（図１０参照）。
【００４０】
このように、突起片３２の先端がドラムＡの内側に曲げて形成されたことで、前記受面部３の端辺がドラムＡに収納された商品容器９の直上で且つ商品容器９に収納された商品容器９に当接する時（場合）の当接角度、すなわち上下に隣接する商品容器９，９の間への進入角度がドラムＡの略頂部箇所における水平方向に対して小さくなるので、貯蔵空隙部Ｓ側の商品容器９の重量から受ける抵抗を少なくすることができ、その貯蔵空隙部Ｓ側の商品容器９及びドラムＡに収納された商品容器品９の塗膜に傷を付けたり、表面に粘着されたフィルムやラベルを剥がすことを防止することができるだけでなく、ドラムＡを回転させる駆動力を低減させ、省電力化，省エネルギー化することが可能となる。
【００４１】
次に、本発明のドラムＡの実施形態において、前記突起片３２は、前記受面部３の支持受板３０とは別部材とした構成の実施形態が存在する〔図８，図１５乃至図２１等参照〕。この実施形態では、別部材とした突起片３２は、プラスチック，ナイロン，ＡＢＳ，ポリカーボネード等の合成樹脂材又は金属板材から形成されるものである。突起片３２は、種々の形状のタイプが存在し、長手方向に直交する断面形状が略扁平半月状又は三日月状の板片であり、平面的に見て略正方形又は長方形等の方形状に形成されている。また、平面的に見て台形山形状に形成されたものも存在する。突起片３２と支持受板３０とを別部材とすることにより、材質の異なる部材同士を組み合わせることができ、たとえば支持受板３０を金属製とし、突起片３２は商品容器９の表面に傷が付きにくい合成樹脂製とする組み合わせができるものである。
【００４２】
別部材とした突起片３２は、主に挿込み部３２１と取付基部３２２とから構成される（図８，図１５乃至図２１参照）。前記取付基部３２２は、突起片３２を支持受板３０の前側辺３１aに固着するための部位であり、その固着手段としてはビス，リベット等の固着具３４による固着や、接着剤による固着となる。また、支持受板３０と突起片３２とが同一の金属材であれば溶接による固着手段でも構わない。前記挿込み部３２１は、前述した第１乃至第４実施形態の突起片３２と同様にドラムＡの支持受板３０の内周側面３０ａと同一（又は略同一）の曲率半径Ｒを有している。
【００４３】
この別部材とした突起片３２の第１タイプは最も簡単な構成で、略円弧状の帯板部材が使用されるものである（図８参照）。挿込み部３２１には、外側面３２１ａと内側面３２１ｂの２つの面が存在する。その外面側３２１ａとは、別部材とした突起片３２が前記支持受板３０の前側辺３１aに固着された状態で、挿込み部３２１の外方となる面のことであり、内面側３２１ｂとは、前記挿込み部３２１の内方となる面のことである〔図１５（Ｂ）乃至（Ｆ），図１９乃至図２１等参照〕。図８は、別部材とした突起片３２の第１タイプとしては、最も簡単な構成で、略円弧状の帯板部材が使用されるものである。該突起片３２は、略円弧状の帯板部材が使用されるものであり、プラスチック，ナイロン等の合成樹脂材又は金属板材から形成されるものであって、挿込み部３２１と取付基部３２２とから構成され、該取付基部３２２は、前記受面部３の支持受板３０に固着される部分であり、その固着手段としてはビス，リベット等の固着具３４による固着や、接着剤による固着となる。
【００４４】
次に、別部材とした突起片３２の第２タイプについて図１５乃至図１８に基づいて説明する。突起片３２は、支持受板３０に対して、極めて小形の板片として形成されたものである〔図１５（Ａ），（Ｂ），図１６（Ａ）参照〕。突起片３２は、その内面側で且つ挿込み部３２１と取付基部３２２との境界箇所に位置決め突出条３２３が形成されている〔図１５（Ｃ）乃至（Ｅ）参照〕。該位置決め突出条３２３は、突起片３２の長手方向（支持受板３０の長手方向と同一方向）に沿って直線状に形成された膨出条である。
【００４５】
さらに、前記取付基部３２２には、ビス等の螺子を有する固着具用の取付孔３２２ｃが形成され〔図１５（Ｃ）乃至（Ｅ）参照〕、該取付孔３２２ｃにビス等の前記固着具３４が挿通されて、支持受板３０の前側辺３１aに固着される〔図１５（Ｂ），（Ｆ），図１６参照〕。このとき、位置決め突出条３２３が支持受板３０の前側辺３１aに係止されて、突起片３２が固着されるものである〔図１５（Ａ），（Ｂ），（Ｆ），図１６参照〕。突起片３２の挿込み部３２１は、その先端に向かうに従い、肉厚が次第に薄くなるように形成されている〔図１５（Ｃ）乃至（Ｆ），図１６参照〕。すなわち、挿込み部３２１の外側面３２１ａと内側面３２１ｂとが先端に向かうに従いその間隔が次第に小さくなる形状である。
【００４６】
さらに、前記外側面３２１ａ及び前記内側面３２１ｂは、共に弧状面として形成され、外側面３２１ａは外方に凸となる弧状であり、内側面３２１ｂは、内方に凹となる弧状である〔図１５（Ｅ），（Ｆ），図１６参照〕。また、挿込み部３２１の先端部分では外側面３２１ａと内側面３２１ｂとの先端同士が外方に凸状となる断面略半円等の弧状にて連続形成されている〔図１５（Ｅ），（Ｆ），図１６参照〕。このような構成によって、外側面３２１ａと内側面３２１ｂの先端同士が、折返し状に滑らかに連続して形成されるので、ドラムＡと貯蔵空隙部Ｓとの間で上下に隣接する商品容器９，９の間に食い込むときに、それぞれの商品容器９の表面塗膜に傷が付き難いようにすることができる（図１８参照）。
【００４７】
突起片３２は、挿込み部３２１と取付基部３２２との境目付近では、肉厚が最も厚く形成され、前述したように挿込み部３２１の根元部から先端に向かうに従い次第に肉厚が薄くなるように形成される〔図１５（Ｅ），（Ｆ），図１６参照〕。また、同様に挿込み部３２１と取付基部３２２との境界から該取付基部３２２の先端（前記挿込み部３２１の先端とは反対側）に向かうに従い肉厚が次第に薄くなるように形成される〔図１５（Ｅ），（Ｆ），図１６参照〕。
【００４８】
受面部３の支持受板３０は、長手方向に直交する断面形状が円弧（略円弧も含む）として形成されており、ドラムＡが正回転方向に回動を行うことによって、前記支持受板３０は、円形の軌跡を形成するものであり、この軌跡を軌跡円Ｔと称する〔図１５（Ｆ），図１６（Ａ）参照〕。さらに具体的には、軌跡円Ｔは、支持受板３０の外周側面３０ｂの回転による円形軌跡である。したがって、軌跡円Ｔの半径は、支持受板３０の外周側面３０ｂの曲率半径と同一となる。また、軌跡円Ｔの直径中心は、前記ドラムＡの回動中心と同一であり、実際には、前述した回転支持軸５，５の回転中心Ｐが軌跡円Ｔの中心となる〔図１５（Ｂ）参照〕。
【００４９】
前記突起片３２の挿込み部３２１は、先端に向かうに従い、次第に前記軌跡円Ｔに近接又は、軌跡円の内方側に入り込む構成となっている。挿込み部３２１が軌跡円Ｔに入り込む場合には、その入り込む量は僅かである〔図１５（Ｆ），図１６（Ｂ）参照〕。挿込み部３２１と軌跡円Ｔとの位置関係における構成は、以下に示すように複数存在し、まず第１の構成では、挿込み部３２１の外側面３２１ａが先端（ドラムＡの正回転方向側）に向かうに従い、軌跡円Ｔに次第に近接してゆくものである〔図１５（Ｆ），図１６（Ｂ）参照〕。この構成について、さらに詳しく説明すると、前記外側面３２１ａの先端付近（挿込み端部３２ａの付近）に接線Ｌｊが設定される〔図１５（Ｆ），図１６（Ｂ），（Ｃ）参照〕。そして、該接線Ｌｊは、外側面３２１ａとの接点Ｊの位置よりもドラムＡの正回転方向の前方側で前記軌跡円Ｔと交わるように構成されている〔図１５（Ｆ），図１６参照〕。
【００５０】
外側面３２１ａの先端側とは、外側面３２１ａの先端付近の面状の領域のことであり、この領域は一定の範囲を有する〔図１５（Ｅ）参照〕。したがって、接線Ｌｊと外面側３２１ａとの接点Ｊは、外側面３２１ａの先端付近の一定の範囲内に存在するものであればよい。この先端付近の領域内では、接線Ｌｊの接点Ｊの位置が変化すれば、接線Ｌｊの傾斜も徐々に変化することになるが、接点Ｊが前記外側面３２１ａの先端の範囲内であれば、いずれの位置に接点Ｊを設けても、全て接線Ｌｊは、前記接点Ｊの位置よりもドラムＡの正回転方向の前方側にて軌跡円Ｔに交わる〔図１５（Ｆ），図１６参照〕。
【００５１】
また、内側面３２１ｂは、少なくとも先端側が軌跡円Ｔの内方に入り込む構成となっている〔図１６（Ｂ）参照〕。つまり、挿込み部３２１の内側面３２１ｂの一部は、前記軌跡円Ｔの内方側に位置するものである。この場合では、挿込み部３２１の付け根部分（前側辺３１aの位置）から先端に向かうに従い、次第に軌跡円Ｔ内に入り込む量が深くなるように形成される。前記挿込み部３２１の内側面３２１ｂの少なくとも先端側は前記軌跡円Ｔの内方に位置する構成としたものである。このときの内側面３２１ｂの先端側が軌跡円Ｔの内方に入り込む量は僅かである。すなわち、第１の構成では、前記挿込み部３２１の先端部分は、その一部が前記支持受板３０の円周方向における軌跡円Ｔの内方側に入り込む構造としたものである。このように突起片３２の内側面３２１ｂが軌跡円Ｔの内方に入り込む構成としたことにより、挿込み部３２１の外側面３２１ａの先端部分は、特に軌跡円Ｔに対して最も近接した構造となり、ドラムＡの受面部３内に収納された商品容器９と、該商品容器９と上下方向に隣接し、且つ貯蔵空隙部Ｓに貯蔵された商品容器９の下端に挿入し易いものとなる（図１８参照）。
【００５２】
次に、挿込み部３２１と軌跡円Ｔとの位置関係における第２の構成では、前記突起片３２の内側面３２１ｂは、前記軌跡円Ｔに対してその円周に沿って弧状に形成されたものである〔図１６（Ｃ）参照〕。すなわち、内側面３２１ｂの曲率半径は、軌跡円Ｔの半径と等しくなるように形成されたものである。このような構成によって、軌跡円Ｔ内には突起片３２が入り込まない構造となるので、貯蔵空隙部Ｓ側に貯蔵された最下位置の商品容器９は、ドラムＡの空状態の受面部３に対してより一層スムーズに落下しつつ、収納され易い構造にすることができる。また、第２の構成の変形例として内側面３２１ｂは、前記軌跡円Ｔに対してその外方に位置させたものも存在する〔図１６（Ｄ）参照〕。この場合であっても、前記内側面３２１ｂが軌跡円Ｔから離れる量は僅かである。
【００５３】
外側面３２１ａの先端側における接線Ｌｊの接点Ｊの位置は、貯蔵空隙部Ｓに貯蔵されている最下位置の商品容器９の表面に対して、ドラムＡの正回転方向の回動動作にて、外側面３２１ａが最初に商品容器９と当接する点となるように設定される〔図１８（Ａ），（Ｂ）参照〕。また、接点Ｊの位置は、前述した最初に商品容器９と当接する点の付近であっても構わない。そして、外側面３２１ａの先端側が商品容器９に当接したときの接線Ｌｊは、水平線Ｈｈよりも僅かに正回転方向側前方が下方となるように角度β1の量で傾斜している〔図１８（Ａ），（Ｂ）参照〕。
【００５４】
そして、ドラムＡの正回転方向における回動に、挿込み部３２１は、正回転方向に沿って移動し、商品容器９との接点Ｊも挿込み部３２１の移動方向とは反対側に移動することになる。そして、接線Ｌｊの傾斜も水平線Ｈｈに近づきつつ、接線Ｌｊと水平線Ｈｈとのなす角度も減少して、角度β2となる。すなわち、角度β1＞角度β2となる。これによって、挿込み部３２１が正回転方向に沿って移動するにしたがって、接線Ｌｊと水平線Ｈｈとのなす角度は減少し、より一層、抵抗の少ない挿込み部３２１の正回転方向への移動ができることとなり、ドラムＡの正回転方向の回動をより円滑に行うことができる。図１８は、ドラムＡにおいて、支持受板３０とは別部材とした突起片３２による商品容器９の払い出し行程の作用を示すものである。すなわち、突起片３２がドラムＡの正回転方向に移動すると共に、接線Ｌｊと水平線Ｈｈとのなす角度が次第に小さくなって、貯蔵空隙部Ｓ側に収納されている商品容器９の下端に食い込んでゆくことが示されている。
【００５５】
したがって、前記ドラムＡが商品容器９の払い出し動作のために、正回転方向に回動を行う行程において、前記挿込み部３２１の先端部分が、ドラムＡ内に収納された商品容器９と、貯蔵空隙部Ｓに収納された商品容器９との間に極めて鋭角なくさび状態で挿入することとなり、しかも、その先端部分のくさび状の角度が正回転方向に移動するにしたがい、減少し、円滑且つ容易に挿し込まれることができる。そして、ドラムＡに収納された商品容器９の直上に位置し、且つ貯蔵空隙部Ｓに収納された商品容器９の下端にもぐりこみ、該商品容器９を僅かに押し上げつつ、ドラムＡが回動しつつ、該ドラムＡ内に収納された商品容器９を払い出す行程が円滑となる〔図１８（Ｃ），（Ｄ）参照〕。
【００５６】
突起片３２は、一つのドラムＡに対して、通常では、支持受板３０に１個装着される〔図１７（Ａ）参照〕。また、ドラムＡのサイズ又は商品容器９のサイズによって、大形の場合には２個装着されることもある〔図１７（Ｂ）参照〕。支持受板３０に突起片３２が１個装着される場合には、支持受板３０の長手方向の中心（略中心も含む）に装着される。また、支持受板３０に突起片３２が２個装着される場合には、両突起片３２，３２は適宜の間隔をおいて装着される。そして、支持受板３０に１個装着される場合には、貯蔵空隙部Ｓを構成する仕切り板２の下端には切除部２１が１個形成される〔図１７（Ｃ）参照〕。また、支持受板３０に２個装着される場合には、貯蔵空隙部Ｓを構成する仕切り板２の下端には切除部２１が２個形成される〔図１７（Ｄ）参照〕。
【００５７】
次に、突起片３２の第３タイプについて説明する。第３タイプでは、第２タイプに比較して、挿込み部３２１及び取付基部３２２の肉厚が大きくなる。前記取付基部３２２には、取付面３２２aが形成されており、前記支持受板３０の外周面と同一の極率半径を有するものであり、該支持受板３０の外周面に密着状態で接合するようになっている。さらに、突起片３２の長手方向の略中央には、図１９（Ｇ），（Ｈ）に示すように、段差部３２２ｂが形成されている。
【００５８】
該段差部３２２ｂは、突起片３２を支持受板３０に固着するときに、該支持受板３０の周方向の端縁に係合させることにより、この端縁からの突起片３２の突出領域が正確に決定されるように、突起片３２の支持受板３０に対する位置決めとしての役目をなすものである〔図１９（Ｄ）参照〕。さらに、前記取付基部３２２には、ビス等の螺子を有する固着具用の取付孔３２２ｃが形成され〔図１９（Ｈ）参照〕、該取付孔３２２ｃにビス等の前記固着具３４が挿通されて、支持受板３０の前側辺３１aに固着される〔図１９（Ｄ）参照〕。取付基部３２２は、急激に肉厚が薄くなるように形成される〔図１９（Ｈ）参照〕。
【００５９】
この第３タイプの突起片３２は、前述した第２タイプの突起片３２と同様に、前記突起片３２の挿込み部３２１における外側面３２１ａの先端の接線Ｌｊは、前記軌跡円Ｔに交わる構成となっている〔図１９（Ｄ）参照〕。つまり、挿込み部３２１の先端部分の一部は軌跡円Ｔの内方側に入り込んだり、内側面３２１ｂが軌跡円Ｔに沿う構成となっている。そして、第２タイプの挿込み部３２１と同様に、その挿込み部３２１と軌跡円Ｔとの構成は、第１と第２の構成が存在する。また、挿込み部３２１の作用についても、前述した第２タイプの場合と同様である。また、第３タイプの突起片３２では、変形例が存在し、第１変形例として、小形の商品容器９に適応するものである（図２０参照）。これは、商品容器９の容器中央にくびれが形成されたものに対応する突起片３２であり、ドラムＡの受面部３に収納された商品容器９のくびれの位置に対応する位置に突起片３２が設けられたものである〔図２０（Ａ）参照〕。突起片３２は、商品容器９のくびれに挿入するので、肉厚が大きく形成されている。また、第２変形例では、商品容器９が小形のペットボトルとしたものに好適な突起片３２となる（図２１参照）。この場合には、突起片３２は上下方向（受面部３の円周方向に等しい）に長く形成されている。
【００６０】
前記回転支持軸５は、両側板部４，４に固着又は一体成形によって形成されるものであり、ドラムＡの回転中心Ｐとなるものである。両回転支持軸５，５は、一直線上に一致するように形成されている〔図３（Ｃ），（Ｄ），図４（Ｃ），（Ｄ），図５（Ｃ），（Ｄ）等参照〕。両回転支持軸５，５のいずれか一方には、モータ又はソレノイド等の駆動源６が連結され、該駆動源６によって、回転し、前記ドラムＡが正回転及び逆回転を行う〔図３（Ｂ），図４（Ｂ），図５（Ｂ）等参照〕。
【００６１】
上記駆動源６の駆動軸６１と、前記回転支持軸５とは、軸方向に沿って、ジョイント部材６２を介して直結する構成となっている。さらに、前記駆動源６は、図２２に示すように、駆動軸６１が垂直状となるように設置され、該駆動軸６１が前記回転支持軸５と相互に直角となるように設置されることもある。この場合には、駆動軸６１と回転支持軸５とがウォームギア６３とホィールギア６４とが噛み合う歯車機構が装着されたものである〔図２２（Ｂ）参照〕。具体的には、駆動軸６１にウォームギア６３が装着され、前記回転支持軸５にホィールギア６４が装着され、駆動源６の回転力を前記ドラムＡの回転支持軸５に伝達し、ドラムＡを回動させるものである。
【００６２】
このように、駆動源６と回転支持軸５との間にウォームギア６３とホィールギア６４とからなる歯車機構を介在させることにより、駆動源６をモータ又はソレノイドを使用した場合に出力の小さいものであったとしても、回転伝達を良好に行うことができ、電力消費を抑えることができる。また、ウォームギア６３とホィールギア６４による歯車機構により、駆動時における騒音を低減することも可能となる。さらに、前記駆動源６をモータとした場合では、モータが軸方向に沿って直立状態となるので、モータの装着スペースを水平方向に短くすることができ、これによって、前記筐体１内部の奥行き方向を短くすることができ、筐体１をより一層コンパクトにすることができる。また、前記ドラムＡの回転支持軸５で、前記駆動源６の駆動軸６１に連結される部位では、回転支持軸５は中空管形状に形成されると共に、その周壁部には軸方向に沿った長溝５１，５１，…が形成され、該長溝５１，５１，…と前記ジョイント部材６２とが係止して、駆動軸６１からの確実な回転伝達を行うことができるように構成されている。
【００６３】
また、ドラムＡの回転において、商品を払い出すには二つの回転方法がある。その一つは、ドラムＡが連続回転すること、すなわち、ドラムが３６０度回転する方法である。本発明では、このドラムＡの回転構成を主として用いる。この方法は、操作が簡単である。もう一つの方法は、正回転と逆回転を組み合わせた反復回転である。すなわち、正回転の回転方向とは、ドラム内に容器が収納された状態から該容器を払い出す動作を行うときの回転方向である。また、ドラムＡの逆回転方向とは、容器を払い出して空になった状態から元の位置に戻りつつ、次の容器が受面部３に入り込んで収納されるようにする回転方向のことであり、この回転方向は、前述した正回転の回転方向とは反対方向となる。すなわち、ドラムＡは、容器の払い出しのための回転方向と、容器の収納のための回転方向は、それぞれ反対となるものである。すなわち、この方法では１回転（３６０度）の回転は行わず、通常の回転角度は１８０度未満である。
【００６４】
そして、前記ドラムＡの支持受板３０の開きの角度θは、小さければ商品容器９を払い出すのに必要な回転動作角度を小さくすることができるものであるが、実際の使用においてドラムＡの強度、商品の盗難防止、商品の安定収納などの観点から決定されても構わない。ドラムＡでは、前記受面部３の長手方向の長さ、すなわち両側板部４，４間の間隔寸法は、ビン、缶やペットボトル等の商品容器９の長さ方向に沿って横倒して入れられるように、ドラムＡの長さを商品の高さより少し長くし、通常、そのドラムの長さが容器の長さより１mm以上大きければ十分である。
【００６５】
ドラムＡの両側板部４，４には回転支持軸５，５が固着されている。該回転支持軸５，５は、ドラムＡの回転中心Ｐとなる位置に設けられ、回転支持軸５，５によって、ドラムＡが正回転及び逆回転する。ドラムＡの両回転支持軸５，５のいずれか一方の回転支持軸５は、前記駆動源６に連結している〔図２（Ｂ），（Ｃ）参照〕。駆動源６は、モータ又はソレノイド等であり、特に回転角度を適宜に制御することができるタイプのものが好ましい。具体的には、駆動源６として、軸の回転角度を制御できるステッピングモータが使用される。
【００６６】
次に、本発明における自動販売の商品の払出動作について図９乃至図１１に基づいて説明する。前記筐体１の各貯蔵空隙部Ｓ，Ｓ，…には、それぞれ異なる種類の飲料が詰められた複数の商品容器９，９，…を横倒しにした状態で上下方向に積み重ねられている〔図２（Ａ）参照〕。また、一つの貯蔵空隙部Ｓには、比較的大形の商品容器９では５本、小形の商品容器９のものでは６，７本が貯蔵できる。そして、購入者は、コインを図示されない投入口より投入して、図示されない押しボタン等の選択手段を介して、所望の飲料の商品を選択する。
【００６７】
選択された商品容器９が貯蔵された貯蔵空隙部Ｓの駆動源６が停止状態（初期状態）から始動し〔図９（Ａ）参照〕、ドラムＡが前記回転中心Ｐを中心にして正回転方向に正回転を開始する。ここで、ドラムＡの正回転の方向は、本発明においては、説明の便宜上、時計周りの方向とする（図９乃至図１１参照）。そして、ドラムＡの突起片３２がドラムＡに収納された商品容器９と、該商品容器９の直上で且つ貯蔵空隙部Ｓに収納された商品容器９との間に挿入しつつ、ドラムＡの突起片３２及び支持受板３０にて貯蔵空隙部Ｓに収納された商品容器９を落下しないように支持しつつ、正回転を続ける〔図９（Ｂ），（Ｃ），図１０（Ａ），（Ｂ）参照〕。さらに、ドラムＡが正回転を続けて、ドラムＡが初期状態から略１８０度付近まで回転すると、商品容器９はドラムＡの受面部３から落下する〔図１０（Ｃ）参照〕。
【００６８】
落下した商品容器９の直上で且つ貯蔵空隙部Ｓに収納されて控えていた商品容器９は、ドラムＡの突起片３２又は支持受板３０によって落下しないように支持された状態で貯蔵空隙部Ｓ内に収納された状態に維持され、ドラムＡから落下した商品容器９と共に落下しないようにすることができ、一度に２個の商品が落下することを防止し、商品１つ分の料金のみで、２個の商品を誤って提供しないようにしている。さらに、前記突起片３２は、落下した商品容器９の次に控える商品容器９に当接して、該商品容器９が誤って落下することを防止する。商品容器９が落下して払い出され、空になったドラムＡはさらに、正回転を行い、受面部３に、貯蔵空隙部Ｓ内で収納され次に控えていた商品容器９を受ける（図６参照）。
【００６９】
本発明において、ドラムＡが払い出し作業を行うときの突起片３２の作用について、図１２に基づいて説明する。突起片３２は、ドラムＡ内に収納された商品容器９と、該商品容器９の直上で且つ貯蔵空隙部Ｓに収納された商品容器９との間に挿入するときに、ドラムＡ内に収納された商品容器９の直上に位置する商品容器９に前記突起片３２が当接して、商品容器９を一旦上方に押し上げるように作用する〔図１２（Ａ），（Ｂ）参照〕。
【００７０】
その押し上げられた商品容器９は、必然的にバランスを崩し、商品容器９の内容物が流動して重心Ｇの位置が移動する。その重心Ｇが商品容器９の長手方向の中央より移動すると、前記突起片３２との当接点を中心とし、商品容器９は、長手方向に沿って傾斜しようとする〔図１２（Ｃ）参照〕。商品容器９はさらに突起片３２によって、さらに、斜め状態で押し上げられることになる。その傾斜した状態の商品容器９に対して、前記突起片３２はさらに食い込み易く且つ挿入し易くなってゆく。
【００７１】
上記状態を詳述すると、商品容器９の中身が飲料の場合、該商品容器９の中に空気が存在しているので、その飲料がドラムＡの回転によって揺れ動き、商品の重心Ｇの位置は不安定となる。その飲料の移動に伴って商品容器９の重心Ｇは必然的に移動することになる。このため、突起片３２の先端が仮に最初に商品の重心Ｇの真下にあったとしても、ドラムＡの回転動作によって、商品容器９は揺さ振られ、重心Ｇが移動し易くなり、よって商品容器９は長手方向に沿って必ず傾斜するものである〔図１２（Ｃ）参照〕。その結果、商品容器９は平行に押し上げられるよりも、斜めに押し上げられた方が突起片３２の先端が商品容器９の下面側に容易に挿入し易くなり、ドラムＡを回転させるための大きな駆動力が不要となり、且つ、商品容器９の塗装膜や印刷又はラベル等に傷を付ける確立が極めて少なくなる。
【００７２】
その他、突起片３２によって、該突起片３２の先端が、ドラムＡから落下して払い出された商品容器９の次位に控える横倒し状態とした商品容器９の下端面と突起片３２との当接点の位置との間隔Ｋａを小さくすることができるという利点がある。これは、前記突起片３２が前側辺３１ａから周方向に突出形成されたものであり、次に控える商品容器９とドラムＡの前側辺３１aとが接近する状態となったときに、突起片３２によって比較的早く、商品容器９に当接することができることによるためである〔図９（Ｂ）参照〕。
【００７３】
本発明において、商品を購入する行程では、ドラムＡに収納された商品容器９は、ドラムＡが払い出し動作における正方向に回転して、商品容器９が落下すると、傾斜状の配送路を下方に向かって滑り、筐体１の払出口１１付近に送られることになる。そのあとは、購入者が筐体１の払出口１１の蓋１１ａを開けて商品（商品容器９）を取り出すものである。前記ドラムＡが正回転して、収納された商品容器９を落下させると、さらに正回転するドラムＡは空の状態となり、次位に位置する商品容器９は、ドラムＡの受面部３に落下して収納され、停止したままの状態、すなわち初期状態となる〔図９（Ａ）参照〕。
【００７４】
ドラムＡは逆回転の停止により初期状態に復帰して、次の払出し命令が発せられるのを待つ。図１３は、払い出し動作の初期状態においてドラムＡが反転した状態から始まる実施形態を示すものである。この実施形態では、初期状態で、ドラムＡは反転、すなわち、支持受板３０の開口側が下向きの状態であり、商品容器９は収納されていない〔図１３（Ａ）参照〕。図１４は、本発明において、突起片３２は先端の断面を円弧状としたことでペットボトルの表面に巻き付けられたフィルムを剥がすことなく、ドラムＡから払い出すことができる状態を示すものである。
【符号の説明】
【００７５】
Ａ…ドラム、３…受面部、３０…支持受板、３１a…前側辺、３１ｂ…後側辺、
３２…突起片、３２ａ…挿込み端部、３２１…挿込み部，３２２…取付基部、
３３…窪み部、４…側板部、６…駆動源、９…商品容器、Ｓ…貯蔵空隙部。
【要約】
【目的】缶，ビン，ペットボトル等に詰められた飲食料等の商品容器を対象に販売する小型且つ構成を極めて簡易にした小型自動販売機とすること。
【構成】商品容器９を横倒し状態で上下方向に複数積み重ねて収納される複数の貯蔵空隙部Ｓと、各貯蔵空隙部Ｓの下端に装着され積み重ねられた商品容器の最下部に位置する商品容器を収納するドラムＡと、ドラムＡを軸周方向に回動させる駆動源６とからなること。ドラムＡは、長手方向に直交する断面を円弧状とした支持受板３０にて構成される受面部３の長手方向両側に側板部４，４が形成され、ドラムＡの正回転方向における前方側の辺には受面部３の周方向に突出する突起片３２が装着されること。該突起片３２は、支持受板３０とは別部材とすると共に、挿込み部３２１と、支持受板３０に固着される取付基部３２２とからなり、挿込み部３２１は先端に向かうに従い肉厚が薄くなるように形成されること。
【選択図】      図１【図１】
0004632382.tif 000002
【図２】
0004632382.tif 000003
【図３】
0004632382.tif 000004
【図４】
0004632382.tif 000005
【図５】
0004632382.tif 000006
【図６】
0004632382.tif 000007
【図７】
0004632382.tif 000008
【図８】
0004632382.tif 000009
【図９】
0004632382.tif 000010
【図１０】
0004632382.tif 000011
【図１１】
0004632382.tif 000012
【図１２】
0004632382.tif 000013
【図１３】
0004632382.tif 000014
【図１４】
0004632382.tif 000015
【図１５】
0004632382.tif 000016
【図１６】
0004632382.tif 000017
【図１７】
0004632382.tif 000018
【図１８】
0004632382.tif 000019
【図１９】
0004632382.tif 000020
【図２０】
0004632382.tif 000021
【図２１】
0004632382.tif 000022
【図２２】
0004632382.tif 000023